(57)【要約】【課題】  改善された特性をもつ動力伝達用流体組成物の提供。【解決手段】  この流体は基油、および粘度指数向上量のゲル浸透クロマトグラフ法で決定された重量平均分子量が約３００〜約３０００の分子量範囲をもつポリイソアルキレン成分を含んで成っていることができる。この動力伝達用流体は約９センチストークス未満の動粘度（１００℃におけるＫＶ）および約３０，０００センチポアズ未満のＢｒｏｏｋｆｉｅｌｄ粘度（−４０℃におけるＢＶ）を示す。またこの流体に対する摩擦対速度曲線は、ポリイソアルキレン成分を含まない同様な流体に比べ、高い速度においてより大きな正の傾斜をもっている。【選択図】  図１
2005194529.tif 000002
【特許請求の範囲】
【請求項１】
（ａ）基油、および
（ｂ）ゲル浸透クロマトグラフ法で決定された重量平均分子量が約３００〜約１０，０００の分子量範囲をもつポリイソアルキレン成分を粘度指数向上量で含む添加剤組成物、を含んでなる動力伝達用流体であって、
該動力伝達用流体は約９センチストークス未満の動粘度（１００℃におけるＫＶ）および約３０，０００センチポアズ未満のＢｒｏｏｋｆｉｅｌｄ粘度（−４０℃におけるＢＶ）を示し、該流体に対する摩擦対速度曲線は、ポリイソアルキレン成分を含まない同様な流体に比べ、高い速度においてより大きな正の傾斜をもっていることを特徴とする動力伝達用流体。
【請求項２】
ポリイソアルキレンは約５００〜３０００の範囲の重量平均分子量をもつポリイソブチレンを含んで成る請求項１記載の流体。
【請求項３】
ポリイソブチレンは水素化されていることを特徴とする請求項２記載の流体。
【請求項４】
添加剤組成物は約１０〜約９０重量％のポリイソアルキレン成分を含んで成ることを特徴とする請求項１記載の流体。
【請求項５】
変速機が炭素繊維の摩擦板を含んで成る自動変速機。
【請求項６】
動力伝達用流体の剪断安定性を改善する方法において、該方法は
基油を用意し、
ゲル浸透クロマトグラフ法で決定された重量平均分子量が約３００〜約１０，０００の分子量範囲をもつポリイソアルキレン成分を約１０〜約９０重量％の量で含んで成る添加剤組成物を基油に加え、ここで該添加剤組成物を含む該基油は約９センチストークス未満の動粘度（１００℃におけるＫＶ）および約３０，０００未満のＢｒｏｏｋｆｉｅｌｄ粘度（−４０℃におけるＢＶ）を示し、該油および添加剤組成物に対する摩擦対速度曲線は、ポリイソアルキレン成分を含まない同様な流体に比べ、高い速度においてより大きな正の傾斜をもっていることを特徴とする方法。
【請求項７】
ポリイソアルキレンは重量平均分子量が約５００〜約３０００であるポリイソブチレンを含んでなることを特徴とする請求項６記載の方法。
【請求項８】
該ポリイソブチレンは水素化されていることを特徴とする請求項７記載の方法。
【請求項９】
添加剤組成物は約２０〜約９０重量％のポリイソアルキレン成分を含んで成ることを特徴とする請求項６記載の方法。
【請求項１０】
動力伝達用流体のための添加剤濃縮物であって、該添加剤濃縮物は、
ゲル浸透クロマトグラフ法で決定された重量平均分子量が約５００〜約１０，０００の分子量範囲をもつポリイソアルキレンを含んで成る少なくとも第１の増ちょう剤、
１種またはそれ以上のポリメタクリレート、オレフィン共重合体、およびスチレン−マレイン酸エステルを含んで成る第２の増ちょう剤を含んで成り、
該添加剤濃縮物中に存在する該第１および第２の粘度指数向上剤の全量は約１０〜９０重量％の範囲であり、該添加剤濃縮物はさらに約５〜約２５重量％の基油を含んで成り、該添加剤濃縮物を約１〜約３０重量％含む動力伝達用流体は約９センチストークス未満の動粘度（１００℃におけるＫＶ）および約３０，０００センチポアズ以下のＢｒｏｏｋｆｉｅｌｄ粘度（−４０℃におけるＢＶ）を示し、該流体に対する摩擦対速度曲線は、ポリイソアルキレン成分を含まない同様な流体に比べ、高い速度においてより大きな正の傾斜をもっていることを特徴とする添加剤濃縮物。
【請求項１１】
該ポリイソアルキレンは重量平均分子量が約５００〜約３０００の範囲のポリイソブチレンを含んでなることを特徴とする請求項１０記載の添加剤濃縮物。
【請求項１２】
該ポリイソブチレンは水素化されていることを特徴とする請求項１１記載の添加剤濃縮物。
【請求項１３】
該添加剤濃縮物は約２０〜約９０重量％のポリイソアルキレン成分を含んで成る請求項１０記載の添加剤濃縮物。
【発明の詳細な説明】
【技術分野】
【０００１】
本発明は高速および低速において動力伝達を行う用途に対して改善された特性をもつ動力伝達用の流体に関する。本明細書に記載された動力伝達用の流体は自動変速装置（ＡＴＦ）、手動変速装置、二重クラッチ変速装置、および／または連続可変式変速装置に適した流体を含むことができる。
【背景技術】
【０００２】
自動車産業によって現在新しい進歩した動力伝達システムが開発されている。これらの新規システムはしばしば高いエネルギーを必要とする。従ってこれらの進歩したシステムの高いエネルギーに対する要求を満たすためには、摩擦材料の技術が開発されなければならない。
【０００３】
いくつかの新しい動力伝達システムおよびブレーキシステムにおいて、係合および脱着の際に発生する高速度は、係合が行なわれている間中、摩擦材料が比較的一定の摩擦を保持せねばならないことを意味する。ブレーキをかけた際、又は一つのギアから他のギアへと動力の伝達を切り替えた際の材料の「震え（ｓｈｕｄｄｅｒｉｎｇ）」を最低限度に抑制するためには、速度および温度の広い範囲に亙って摩擦による係合が比較的一定であることが重要である。
【０００４】
特に現在は新しい高エネルギー型の摩擦材料が開発され使用されるようになっている。この新しい高エネルギー型の摩擦材料は、内部の動力伝達用の板の表面速度が最高約６５ｍ／秒になるような高速度に耐えることができる．またその摩擦材料が限定された潤滑条件の下で使用できることも重要である。自動車の変速機の用途に対して開発されつつあるこのような材料の一つは、炭素繊維を含む材料である。
【０００５】
変速機に対して新しい材料が開発され大きな需要が見込まれるという観点から、非常に要求が厳しい速度、温度および圧力の条件下において特殊な摩擦特性を与えるような自動車の動力伝達用流体が求められている。相対的な滑り速度、温度または圧力の関数として流体の摩擦特性に変化が生じれば、車輛の運転者に直ちに感知される性能の低下が起こる。このような効果には、許容できないほど長いまたは短いギアの切り換え（シフト）、車輛の震えまたは振動、雑音、および／または烈しいシフト（「ギアチェンジの際のショック」）が含まれる。従って、高い温度および圧力における剪断安定性のような改善された特性を示す変速機用の流体が必要とされている。このような流体は装置および性能上の問題を減少させると共に、流体を交換する間隔を改善するであろう。トルクコンバーターとシフト用のクラッチとを滑らかに係合させることにより、これらの流体は震え、振動、および／または雑音を減少させ、或る場合には該流体の長い寿命期間に亙って燃費を改善することができる。
【０００６】
低い滑り速度における表面（例えばトルクコンバーターのクラッチまたはシフト用のクラッチの部材）間の摩擦を減少させるために、自動車の変速機用の流体には摩擦調整剤が使用されている。その結果摩擦対速度（ｕ−ｖ）曲線は正の傾斜をもち、それによって滑らかなクラッチの係合が行われ、「粘着−滑り（ｓｔｉｃｋ−ｓｌｉｐ）」挙動（例えば震え、雑音、および烈しいシフト）が最低限度に抑制される。しかし従来の多くの摩擦調整剤は熱的に不安定である。長期間熱をかけるとこれらの添加剤は分解し、それがクラッチの性能に与える利点が失われる可能性がある。
【発明の開示】
【課題を解決するための手段】
【０００７】
具体化例の概要
本発明に従って調合された動力伝達用流体は改善された剪断安定性を与え、従ってトルクコンバーターとシフト用のクラッチとの滑らかな係合に対し改善された性能を与え、震え、振動、および／または雑音を最低限度に抑制し、および／または燃料の経済性を改善する。
【０００８】
一具体化例においては、改善された特性をもった動力伝達用流体組成物が提供される。この流体は基油、並びにゲル浸透クロマトグラフ法で決定された重量平均分子量が約３００〜約１０，０００の範囲の分子量をもつポリイソアルキレン成分を粘度指数向上量で含有する添加剤組成物を含んでいる。この動力伝達用流体は動粘度（１００℃におけるＫＶ）が約９センチストークス未満であり、またＢｒｏｏｋｆｉｅｌｄ粘度（−４０℃におけるＢＶ）が約３０，０００センチポアズ未満である。また、この流体に対する摩擦対速度曲線は、ポリイソアルキレン成分が存在しない同様な流体に比べ、高い速度の所で大きい正の傾斜をもっている。
【０００９】
他の具体化例においては、動力伝達用流体に対し剪断安定性を改善する方法が提供される。この方法は、基油を用意し、該基油に添加剤組成物を加えて動力伝達用流体をつくる方法を含んでいる。この動力伝達用流体はゲル浸透クロマトグラフ法で決定された重量平均分子量が約３００〜約１０，０００の範囲の分子量をもつポリイソアルキレン成分を約１〜約９重量％含んでいることができる。換言すれば、該添加剤組成物は約１０〜約９０重量％のポリイソアルキレン成分を含んでいることができる。この添加剤組成物を含む基油は約９センチストークス未満の動粘度（１００℃におけるＫＶ）および約３０，０００センチポアズ未満のＢｒｏｏｋｆｉｅｌｄ粘度（−４０℃におけるＢＶ）を示すことができる。また該油および添加剤組成物に対する摩擦対速度曲線は、ポリイソアルキレン成分が存在しない同様な流体に比べ、高い速度の所でより大きい正の傾斜をもっている。
【００１０】
さらに他の具体化例においては動力伝達用流体用の添加剤濃縮物が提供される。この添加剤濃縮物は少なくとも第１の粘度指数向上用の増ちょう剤および第２の粘度指数向上用の増ちょう剤を含んでいる。第１の増ちょう剤はゲル浸透クロマトグラフ法で決定された重量平均分子量が約５００〜約１０，０００の範囲の分子量をもったポリイソアルキレンである。第２の増ちょう剤はポリメタクリレート、オレフィン共重合体、およびスチレン−マレイン酸エステルから選ばれる。該添加剤濃縮物の中に存在する第１および第２の粘度指数向上剤の全量は約１０〜約９０重量％の範囲であり、添加物濃縮物の残りは約５〜約２５重量％の基油および約０．５〜約１０重量％の他の性能改善用添加剤を含むことができる。この添加剤濃縮物を約１〜約３０重量％含む動力伝達用流体は約９センチストークス未満の動粘度（１００℃におけるＫＶ）および約３０，０００センチポアズ未満のＢｒｏｏｋｆｉｅｌｄ粘度（−４０℃におけるＢＶ）を示すことができる。またこの流体に対する摩擦対速度曲線は、ポリイソアルキレン成分が存在しない同様な流体に比べ、高い速度の所でより大きい正の傾斜をもっている。
【００１１】
上記の具体化例の動力伝達用流体は改善された剪断安定性を与え、この流体が機械的、熱的、および／または酸化によるストレスを受けた場合にも流体は非常に僅かしか変化しないことが可能である。このような動力伝達用流体は、潤滑剤に高いストレスがかかるのが普通である変速機、、例えば滑りトルクコンバーター、固定（ｌｏｃｋ−ｕｐ）トルクコンバーター、始動用のクラッチ、および／または１個またはそれ以上の変速用のクラッチをもつ変速機に使用するのに適している。このような変速機は４段−、５段−、６段−または７段−変速機を含むことができ、或いは連続可変変速機（無段階変速機）（チェーン型、ベルト型、およびディスク型）を含んでいることができる。また該流体は自動化された手動および二重クラッチ変速機を含む手動変速機に使用することもできる。上記の流体の特別な利点は、炭素繊維を含む摩擦板のような進歩した摩擦材料を含む変速機に対し改善された特性をもっていることである。
【００１２】
上記の一般的な説明および下記に述べる詳細な説明は両方とも単に例を挙げて説明するためのものであり、特許請求の範囲に記載された本発明に対しさらなる説明を行う意図をもつものである。
【００１３】
具体化例の詳細な説明
本明細書において「ヒドロカルビル置換基」または「ヒドロカルビル基」という言葉は当業界の専門家には公知のその通常の意味において使用される。特定的に言えば、分子の残りの部分に直接結合している１個の炭素原子を有し、また主として炭化水素の特性をもつ基を意味する。ヒドロカルビル基の例には次のものが含まれる：
（１）炭化水素置換基、即ち脂肪族（例えばアルキルまたはアルケニル）、脂環式（例えばシクロアルキル、シクロアルケニル）置換基、および芳香族、脂肪族および脂環式の基が置換した芳香族置換基、並びに分子の他の部分により環が完成される環式の置換基（例えば、２個の置換基が一緒になって脂環式の基をつくっているもの）；
（２）置換した炭化水素置換基、即ち本明細書における意味であまり炭化水素置換基を変化させない非炭化水素基（例えばハロゲン（特にクロロおよびフルオロ）、ヒドロキシ、アルコキシ、メルカプト、アルキルメルカプト、ニトロ、ニトロソ、およびスルフォキシ）を含む置換基；
（３）ヘテロ置換基、即ち本明細書における意味で主として炭化水素の特性をもつが、炭素原子から成る環または分子鎖の中に炭素原子以外の原子を含む置換基。へテロ原子は硫黄、酸素、窒素を含み、ピリジル、フリル、チエニル、およびイミダゾリルのような置換基を包含している。一般にヒドロカルビル基の中で、炭素原子１０個当たり２個より多くの、さらに他の例としては１個より多くの非炭化水素置換基は存在していない。典型的な場合ヒドロカルビル基の中に１個の非炭化水素置換基が存在するであろう。
【００１４】
動力伝達用流体は次第に苛酷さが増加する条件下で作動するので、これらの変速機を潤滑するのに使用される油はさらに高い温度および圧力に耐えるように調合されなければならない。装置の問題を減少させ、変速機用油の交換間隔を長くするために、ストレスを受けた場合油の重要な性質ができるだけ僅かしか変化しないように油添加剤パッケージを調合しなければならない。特に、油の剪断安定性は添加剤パッケージに著しく依存するので、温度および操作速度の広い範囲に亙って比較的一定に保たれなければならない。これによってトルクコンバーターと変速用のクラッチとが滑らかに係合し、震え、振動および雑音が最低限度に抑制され、燃費が改善される。本発明の上記の成分は、基油に配合した場合、油に対して著しく改善された剪断安定性を付与することが見出だされた。
【００１５】
一具体化例においては、動力伝達用流体は基油および添加剤組成物を含んでいることができる。添加剤組成物は粘度指数向上量のポリイソアルキレン成分を含んでいる。このポリイソアルキレン成分はゲル浸透クロマトグラフ法で決定された重量平均分子量が約３００〜約１０，０００の範囲の分子量をもっていることができる。さらに他の例としては、ポリイソアルキレン成分は重量平均分子量が約５００〜約３０００の範囲の分子量をもっていることができる。さらに他の例としては、ポリイソアルキレン成分は重量平均分子量が約７００〜約２５００の範囲の分子量をもっていることができる。粘度指数向上量で使用した場合、該ポリイソアルキレン成分は約９センチストークス（ｃＳｔ）未満の動粘度（１００℃におけるＫＶ）および約３０，０００センチポアズ（ｃｐ）未満のＢｒｏｏｋｆｉｅｌｄ粘度（−４０℃におけるＢＶ）をもった動力伝達用流体を与える。この流体に対する摩擦対速度曲線は、ポリイソアルキレン成分が存在しない同様な流体に比べ、高い速度の所で正の傾斜を示す。ポリイソアルキレン成分の中の例としてはポリ（Ｃ３〜Ｃ６）イソアルキレン成分、例えばポリイソブチレンが含まれる。
【００１６】
ポリイソアルキレン成分は、炭化水素供給流をクラッキングして実質的にＣ４−炭化水素から成る炭化水素混合物にすることによりつくられたオレフィン系炭化水素単量体、例えばイソブテンから誘導することができる。例えば熱分解工程（ストリームクラッキング法（ｓｔｒｅａｍｃｒａｃｋｅｒ））によりＣ４パラフィンおよびＣ４オレフィンから成り主成分がイソブテンであるＣ４溜分がつくられる。さらに追加の選択的な水素化または抽出蒸溜法によってブタジエンおよびアセチレンを供給流から実質的に除去する。
【００１７】
ポリイソアルキレン成分をその単量体からつくるのに使用される重合反応は一般に通常のＺｉｅｇｌｅｒ−Ｎａｔｔａ触媒系またはメタロセン触媒系を存在させて行われる。重合媒体は当業界の専門家には公知のように溶液、スラリ、または気相の工程を含んでいることができる。溶液重合を用いる場合、溶媒はα−オレフィンの重合に対する反応条件下において液体である任意の適当な不活性の炭化水素溶媒であることができる。満足すべき炭化水素溶媒の例には炭素数５〜８の直鎖パラフィン、例えばヘキサンが含まれる。芳香族の炭化水素、単一のベンゼン核を有する芳香族炭化水素、例えばベンゼンおよびトルエン；および沸点が上記の直鎖パラフィン炭化水素および芳香族炭化水素に近い範囲にある飽和環式炭化水素も適している。選ばれる溶媒は１種またはそれ以上の上記炭化水素の混合物であることができる。スラリ重合を用いる場合には、重合に対する液相は液体のプロピレンであることができる。重合媒体は触媒成分の妨害になる物質を含んでいないことが望ましい。例えば約３００〜約１０，０００、約７００〜約５，０００、または約７００〜約２，５００の重量平均分子量範囲をもつポリイソアルキレン化合物が得られた時、重合工程を終結することができる。
【００１８】
上記の異性化した成分に加えて、或いはその代わりに、直鎖のポリアルキレン成分を使用することができる。
【００１９】
粘度指数向上量のポリイソアルキレン成分は動力伝達用流体の中に該動力伝達用流体の全量の約１〜約３０重量％の量で存在することができる。さらに他の例としては、ポリイソアルキレン成分は動力伝達用流体の約２〜約９重量％の量で存在することができる。
【００２０】
適当な動力伝達用流体は唯一の粘度指数向上剤としてポリイソアルキレン成分を加えることができるが、いくつかの具体化例では粘度指数向上剤の組み合わせを含んでいることもできる。例えば非分散剤の粘度指数向上剤を上記のポリイソアルキレン粘度指数向上剤と組み合わせて使用することができる。このような非分散剤の粘度指数向上剤はオレフィン共重合体、ポリアルキルメタクリレート、およびスチレン−マレイン酸エステルを含んでいるが、これだけには限定されない。これらの粘度指数向上剤は不活性溶媒、典型的には鉱油溶媒中の溶液の形で供給することができる。この場合鉱油は通常厳密に精製されたものである。
ポリイソアルキレン成分と組み合わせて粘度指数向上剤として使用される適当な市販の材料は、例えばＴｈｅ  Ｌｕｂｒｉｚｏｌ  Ｃｏｒｐｏｒａｔｉｏｎから商品名ＬＵＢＲＩＺＯＬ（Ｒ）３７０２，ＬＵＢＲＩＺＯＬ（Ｒ）３７０６およびＬＵＢＲＩＺＯＬ（Ｒ）３７１５の如きスチレン−マレイン酸エステル、またＲＯＨＭ  ＧｍｂＨ（ドイツ、Ｄａｒｍｓｔａｄｔ）から商品名ＶＩＳＣＯＰＬＥＸ（Ｒ）５５４３、ＶＩＳＣＯＰＬＥＸ（Ｒ）５５４８、ＶＩＳＣＯＰＬＥＸ（Ｒ）５５４９、ＶＩＳＣＯＰＬＥＸ（Ｒ）５５５０、ＶＩＳＣＯＰＬＥＸ（Ｒ）５５５１およびＶ１ＳＣＯＰＬＥＸ（Ｒ）５１５１として市販されているようなポリアルキルメタクリレート；Ｒｏｈｍ  ＆  Ｈａａｓ  Ｃｏｍｐａｎｙ（米国フィラデルフィア州、Ｐｈｉｌａｄｅｌｐｈｉａ）から商品名ＡＣＲＹＬＯＩＤ（Ｒ）１２７７、ＡＣＲＹＬＯＩＤ（Ｒ）１２６５およびＡＣＲＹＬＯＩＤ（Ｒ）１２６９として、またＥｔｈｙｌ  Ｃｏｒｐｏｒａｔｉｏｎ（米国バージニア州、Ｒｉｃｈｍｏｎｄ）から商品名ＨｉＴＥＣ（Ｒ）５７１０、ＨｉＴＥＣ（Ｒ）５７３８、ＨｉＴＥＣ（Ｒ）５７３９およびＨｉＴＥＣ（Ｒ）５７４２として市販されているポリアルキルメタクリレート；およびＥｔｈｙｌ  Ｃｏｒｐｏｒａｔｉｏｎから商品名ＨｉＴＥＣ（Ｒ）５７４７、ＨｉＴＥＣ（Ｒ）５７５１、ＨｉＴＥＣ（Ｒ）５７７０およびＨｉＴＥＣ（Ｒ）５７７２として，またＳｈｅｌｌ  Ｃｈｅｍｉｃａｌ  Ｃｏｍｐａｎｙから商品名ＳＨＥＬＬＶＪＳ（Ｒ）２００として市販されているオレフィン共重合体粘度指数向上剤である。上記製品の混合物、並びに分散剤の粘度指数向上剤および分散剤−酸化防止剤の粘度指数向上剤も使用することができる。
【００２１】
基油
動力伝達用流体組成物の調合に使用するのに適した基油は任意の合成油または天然油またはそれらの混合物から選ぶことができる。天然油には動物油および植物油（例えばひまし油、ラード油）並びに鉱物性の潤滑油、例えば液体の石油、および溶媒で処理したまたは酸で処理したパラフィン系、ナフテン系または混合パラフィン−ナフテン系の鉱物性潤滑油が含まれる。石炭または頁岩から誘導される油も適している。基油は典型的には１００℃で約２〜約１５ｃＳｔの粘度をもち、他の例としては約２〜約１０ｃＳｔの粘度をもっている。さらにガスないし液体の貯蔵原料も適している。
【００２２】
合成した基油はジカルボン酸のアルキルエステル、ポリグリコールおよびアルコール、ポリブテンを含むポリ−α−オレフィン、アルキルベンゼン、燐酸の有機エステル、およびポリシリコーン油を含んでいる。合成油には炭化水素油、例えば重合および共重合したオレフィン（例えばポリブチレン、ポリプロピレン、プロピレン−イソブチレン共重合体等）；ポリ（１−ヘキセン）、ポリ（１−オクテン）、ポリ（１−デセン）等、およびそれらの混合物；アルキルベンゼン（例えばドデシルベンゼン、テトラデシルベンゼン、ジノニルベンゼン、ジ−（２−エチルヘキシル）ベンゼン等）；ポリフェニル（例えばビフェニル、ターフェニル、アルキル化したポリフェニル等）；アルキル化したジフェニルエーテルおよびアルキル化したジフェニルスルフィドおよびそれらの誘導体、およびそれらの類似体、同族体等を含んでいる。
【００２３】
アルキレンオキシドの重合体および共重合体、並びにそれらの誘導体で、末端のヒドロキシル基がエステル化、エーテル化等により変性されたものは他の種類の使用できる公知の合成油である。このような合成油の例はエチレンオキシドまたはプロピレンオキシドの重合によってつくられる合成油、これらのポリオキシアルキレン重合体のアルキルおよびアリールエーテル（例えば平均分子量が約１０００のメチル−ポリイソプロピレングリコールエーテル、分子量が約５００〜１０００のポリエチレングリコールのジフェニルエーテル、分子量が約１０００〜１５００のポリプロピレングリコールのジエチルエーテル等）、またはそれらの１価および多価のカルボン酸のエステル、例えば酢酸エステル、混合Ｃ３〜８脂肪酸エステル、またはテトラエチレングリコールのＣ１３オキソ酸ジエステルである。
【００２４】
使用できる合成油の他の種類にはジカルボン酸（例えばフタル酸、琥珀酸、アルキル琥珀酸、アルケニル琥珀酸、マレイン酸、アゼライン酸、スベリン酸、セバチン酸、フマル酸、アジピン酸、リノール酸二量体、マロン酸、アルキルマロン酸、アルケニルマロン酸等）と種々のアルコール（例えばブチルアルコール、ヘキシルアルコール、ドデシルアルコール、２−エチルヘキシルアルコール、エチレングリコール、ジエチレングリコールモノエーテル、プロピレングリコール等）とのエステルが含まれる。これらのエステルの特定の例にはアジピン酸ジブチル、セバチン酸ジ（２−エチルヘキシル）、フマル酸ジ−ｎ−ヘキシル、セバチン酸ジオクチル、アゼライン酸ジイソオクチル、アゼライン酸ジイソデシル、フタル酸ジオクチル、フタル酸ジデシル、セバチン酸ジエイコシル、リノール酸二量体の２−エチルヘキシルジエステル、１モルのセバチン酸と２モルのテトラエチレングリコールおよび２モルの２−エチルヘキサン酸とを反応させてつくられる複合エステル等が含まれる。
【００２５】
また合成油として有用なエステルはＣ５〜Ｃ１２−モノカルボン酸とポリオールおよびポリオールエーテル、例えばネオペンチルグリコール、トリメチロールプロパン、ペンタエリスリトール、ジペンタエリスリトール、トリペンタエリスリトール等とからつくられるエステルを含んでいる。
【００２６】
従って上記の動力伝達用流体をつくるのに用いられる使用可能な基油はＡｍｅｒｉｃａｎ  Ｐｅｔｒｏｌｅｕｍ  Ｉｎｓｔｉｔｕｔｅ（ＡＰＩ）のＢａｓｅ  Ｏｉ！  Ｉｎｔｅｒｃｈａｎｇｅａｂｉｌｉｔｙ  Ｇｕｉｄｅｌｉｎｅｓに規定されたグループＩ〜Ｖの基油から選ぶことができる。このような基油のグループは次の通りである。
【００２７】
【表１】
2005194529.tif 000003
【００２８】
上記のように、基油はポリ−α−オレフィン（ＰＡＯ）であることができる。典型的には、ポリ−α−オレフィンは炭素数が約４〜約３０、または約４〜約２０、或いは約６〜約１６の単量体から誘導される。有用なＰＡＯの例はオクテン、デセン、これらの混合物等から誘導されるものを含んでいる。ＰＡＯは１００℃において約２〜約１５ｃＳｔ、または約３〜約１２ｃＳｔ、或いは約４〜約８ｃＳｔの粘度をもっていることができる。ＰＡＯの例には１００℃における粘度が４ｃＳｔのポリ−α−オレフィン、１００℃における粘度が６ｃＳｔのポリ−α−オレフィン、およびそれらの混合物が含まれる。鉱油とこれらのポリ−α−オレフィンとの混合物も使用できる。
【００２９】
基油はＦｉｓｃｈｅｒ−Ｔｒｏｐｓｃｈ法によって合成された炭化水素から誘導された油であることができる。Ｆｉｓｃｈｅｒ−Ｔｒｏｐｓｃｈ法によって合成された炭化水素はＦｉｓｃｈｅｒ−Ｔｒｏｐｓｃｈ触媒を用いＨ２およびＣＯを含む合成ガスからつくられる。典型的にはこのような炭化水素はさらに処理を行って基油として使用できるようにすることが必要である。例えば米国特許第６，１０３，０９９号明細書または同第６，１８０，５７５号明細書記載の方法を使用する水素異性化；米国特許第４，９４３，６７２号明細書または同第６，０９６，９４０号明細書記載の方法を使用した水添分解および水素異性化；米国特許第５，８８２，５０５号明細書記載の方法を使用する脱ワックス化；米国特許第６，０１３，１７１号明細書、同第６，０８０，３０１号明細書または同第６，１６５，９４９号明細書に記載された方法を使用する水素異性化と脱ワックス化とを行う方法をこれらの炭化水素に対して用いることができる。
【００３０】
上記種類の未精製の、精製した、および再精製した油は天然品でも合成品でも（並びにこれらの２種またはそれ以上の混合物でも）基油に使用することができる。未精製の油は天然品または合成品の原料からそれ以上精製または処理をしないで直接得られるものである。例えば乾留操作によって直接得られた頁岩油、一次蒸溜によって直接得られた石油、またはエステル化工程によって直接得られたエステル油をそれ以上処理しないで用いたものが未精製の油である。精製された油は未精製の油と同様であるが、一つまたはそれ以上の性質を改善するために一つまたはそれ以上の精製過程で更に処理されている点が異なっている。多くのこのような精製技術、例えば溶媒抽出、二次蒸溜、酸または塩基による抽出、濾過、浸出（パーコレーション）等は当業界の専門家には公知である。再精製された油は、既に使用された精製油に適用される精製油を得るのに使用されたのと同様な種々の方法によって得られる。このような再精製された油は再生されたまたは再処理された油として知られており、しばしば消費された添加物、汚染物質および油の分解生成物を除去することを目的とした技術によってさらに処理が行われる。
【００３１】
基油を上記の具体化例に記載された添加剤組成物と組み合わせ動力伝達用流体をつくることができる。基油は動力伝達用流体の中に約５０〜約９５重量％の量で存在することができる。
【００３２】
他の随時加えられる成分
また動力伝達用流体は、上記の成分の他に、自動変速機用流体調合物に使用される種類の通常の添加物を含んでいることができる。このような添加物には無灰分散剤、摩擦調整剤、酸化防止剤、極圧添加剤、腐蝕防止剤、耐摩耗性添加剤、防錆用添加剤、金属失活剤、泡消し剤、流動点降下剤、空気捕捉用添加剤、金属性清浄剤、および／または密封膨潤剤が含まれるが、これだけには限定されない。
【００３３】
無灰分散剤
本発明の動力伝達用流体に使用できる無灰分散剤は当業界の専門家に公知の任意の無灰分散剤から選ぶことができる。適当な無灰分散剤は琥珀酸イミド分散剤、マンニッヒ塩基分散剤、および重合ポリアミン分散剤のような無灰分散剤を含んでいる。ヒドロカルビル置換琥珀酸イミドをつくるためにはヒドロカルビル置換琥珀酸アシル化剤が使用される。ヒドロカルビル置換琥珀酸アシル化剤には、これだけには限定されないが、ヒドロカルビル置換琥珀酸、ヒドロカルビル置換琥珀酸無水物、ヒドロカルビル置換琥珀酸ハロゲン化物（特に酸フッ化物および酸塩化物）およびヒドロカルビル琥珀酸と低級アルコール（例えば炭素数最高７迄のもの）とのエステル、即ちカルボキシルアシル化剤として機能し得るヒドロカルビル置換化合物が含まれる。
【００３４】
ヒドロカルビル置換アシル化剤は適切な分子量をもったポリオレフィンまたは塩素化ポリオレフィンをマレイン酸無水物と反応させることによってつくられる。同様なカルボキシル反応原料を使用してアシル化剤をつくることができる。このような反応原料には、マレイン酸、フマル酸、マリン酸、酒石酸、イタコン酸、イタコン酸無水物、シトラコン酸、シトラコン酸無水物、メサコン酸、エチルマレイン酸無水物、ジメチルマレイン酸無水物、エチルマレイン酸、ジメチルマレイン酸、ヘキシルマレイン酸等、および対応する酸ハロゲン化物および低級脂肪族エステルが含まれるが、これだけには限定されない。
【００３５】
オレフィンの分子量は置換琥珀酸無水物の意図される用途によって変えることができる。典型的には、置換琥珀酸無水物は炭素数８〜５００のヒドロカルビル基を有しているであろう。しかし潤滑油の分散剤を製造するのに使用される置換琥珀酸無水物は典型的には炭素数約４０〜５００個のヒドロカルビル基をもっている。本明細書では炭素数が約８〜約１５０のヒドロカルビル基をもつ分散剤は「比較的低分子量の分散剤」と呼ばれる。これに対し炭素数が約１５０以上で最高約５００の分散剤は本明細書においては「比較的高分子量の分散剤」と呼ばれる。分子量が非常に高い置換琥珀酸無水物は、より正確には数平均分子量（Ｍｎ）によって呼ばれる。何故ならばこれらの置換琥珀酸無水物をつくるのに使用されるオレフィンは、例えばエチレン、プロピレンおよびイソブチレンのような低分子量オレフィンモノマーの重合によって得られる異なった分子量成分の混合物を含んでいることができるからである。
【００３６】
マレイン酸無水物対オレフィンのモル比は広い範囲で変化させることができる。この比は例えば約５：１〜約１：５の範囲で、或いは例えば約１：１〜約３：１の範囲で変えることができる。数平均分子量が約５００〜約７０００、または他の例として約８００〜約３０００あるいはそれ以上のポリイソブチレンおよびエチレン−α−オレフィン共重合体のようなオレフィンを用いる場合には、オレフィン１モルに対し化学量論的に過剰な、例えば１．１〜３モルのマレイン酸無水物を使用することができる。未反応のマレイン酸無水物は得られた反応混合物から蒸発させることができる。
【００３７】
ポリアルケニル琥珀酸無水物は、接触水素化のような通常の還元条件を使用してポリアルキル琥珀酸無水物に変えることができる。接触水素化に対して好適な触媒は炭素に担持されたパラジウムである。同様にポリアルケニル琥珀酸イミドは同様な還元条件を使用してポリアルキル琥珀酸イミドに変えることができる。
【００３８】
本発明に使用される琥珀酸無水物上のポリアルキルまたはポリアルケニル置換基は一般に、モノオレフィン、特に１−モノオレフィン、例えばエチレン、プロピレンおよびブチレンの重合体または共重合体であるポリオレフィンから誘導される。使用されるモノオレフィンは炭素数が約２〜約２４、さらに他の例では約３〜約１２のものである。他の適当なモノオレフィンには、プロピレン、ブチレン、特にイソブチレン、１−オクテンおよび１−デセンが含まれる。このようなモノオレフィンからつくられるポリオレフィンには、ポリプロピレン、ポリブテン、ポリイソブテン、および１−オクテンと１−デセンからつくられるポリ−α−オレフィンが含まれる。
【００３９】
或る具体化例においては、無灰分散剤はイミド基を生じ得る少なくとも１個の１級アミノ基を有するアミンのアルケニル琥珀酸イミドを１種またはそれ以上含んでいることができる。これらのアルケニル琥珀酸イミドは例えばアルケニル琥珀酸の無水物、酸、酸エステル、酸ハロゲン化物、または低級アルキルエステルを少なくとも１個の１級アミノ基を含むアミンと加熱するような通常の方法でつくることができる。アルケニル琥珀酸無水物はポリオレフィンとマレイン酸無水物との混合物を約１８０〜２２０℃に加熱することにより容易につくることができる。ポリオレフィンは、ゲル浸透クロマトグラフ法（ＧＰＣ）で決定された数平均分子量が約３００〜約３０００の範囲の、例えばエチレン、プロピレン、イソブテン等のような低級モノオレフィン重合体または共重合体であることができる。
【００４０】
無灰分散剤をつくるのに使用できるアミンは、反応してイミド基をつくり得る少なくとも１個の１級アミノ基、および少なくとも１個のさらに他の１級または２級アミノ基、および／または少なくとも１個のヒドロキシル基を有する任意のアミンを含んでいる。いくつかの代表的な例は次の通りである：Ｎ−メチル−プロパンジアミン、Ｎ−ドデシルプロパンジアミン、Ｎ−アミノプロピル−ピペラジン、エタノールアミン、Ｎ−エタノール−エチレンジアミン、等。
【００４１】
適当なアミンにはアルキレンポリアミン、例えばプロピレンジアミン、ジプロピレントリアミン、ジ−（１，２−ブチレン）トリアミン、およびテトラ−（１，２−プロピレン）ペンタミンを含んでいることができる。他の例には式Ｈ２Ｎ（ＣＨ２ＣＨ２ＮＨ）ｎＨで表わし得るエチレンポリアミンが含まれる。ここでｎは約１〜約１０の整数であることができる。これらの中にはエチレンジアミン、  ジエチレントリアミン（ＤＥＴＡ）、トリエチレンテトラミン（ＴＥＴＡ）、テトラエチレンペンタミン（ＴＥＰＡ）、ペンタエチレンヘキサミン（ＰＥＨＡ）等およびそれらの混合物が含まれる。この場合ｎは混合物の平均値である。このようなエチレンポリアミンは各端に１級アミン基を有し、従ってこれらはモノアルケニル琥珀酸イミド、およびビス−アルケニル琥珀酸イミドを形成することができる。市販のエチレンポリアミン混合物は少量の分岐した化学種および環式の化学種、例えばＮ−アミノエチルピペラジン、Ｎ，Ｎ’−ビス（アミノエチル）ピペラジン、Ｎ，Ｎ’−ビス（ピペラジニル）エタン、および同様な化合物を含んでいることができる。市販の混合物はジエチレントリアミンないしテトラエチレンペンタミンに対応する範囲に入る全体としての近似的な組成をもち得る。ポリアルケニル琥珀酸無水物対ポリアルキレンポリアミンのモル比は約１：１〜約３．０：１であることができる。
【００４２】
或る具体化例においては、無灰分散剤はポリエチレンポリアミン、例えばトリエチレンテトラミンまたはテトラエチレンペンタミンと、例えばポリイソブテンのような適当な分子量をもったポリオレフィンを不飽和多価カルボン酸または無水物、例えばマレイン酸無水物、マレイン酸、フマル酸等、並びにこれらの２種またはそれ以上の混合物と反応させてつくられた炭化水素置換カルボン酸またはその無水物との反応生成物を含むことができる。
【００４３】
本発明の分散剤を製造するのにやはり適しているポリアミンには、Ｎ−アリールフェニレンジアミン、例えばＮ−フェニル−１，４−フェニレンジアミン、Ｎ−フェニル−１，３−フェニレンジアミンおよびＮ−フェニル−１，２−フェニレンジアミンのようなＮ−フェニルフェニレンジアミン；アミノチアゾール、アミノベンゾチアゾール、アミノベンゾチアジアゾールおよびアミノアルキルチアゾールのようなアミノチアゾール；アミノカルバゾール；アミノインドール；アミノピロール；アミノインダゾリノン；アミノメルカプトトリアゾール；アミノペリミジン；１−（２−アミノエチル）イミダゾール、１−（３−アミノプロピル）イミダゾールのようなアミノアルキルイミダゾール；および４−（３−アミノプロピル）モルフォリンのようなアミノアルキルモルフォリンが含まれる。これらのポリアミンは米国特許第４，８６３，６２３号明細書および同第５，０７５，３８３号明細書にさらに詳細に記載されている。このようなポリアミンは最終製品に耐摩耗性および酸化防止性を付与するというさらなる利点をもっている。
【００４４】
ヒドロカルビル置換琥珀酸イミドをつくるのに有用なさらに他のポリアミンは、米国特許第５，６３４，９５１号明細書および同第５，７２５，６１２号明細書に記載されているような、分子中に少なくとも１個の１級または２級アミノ基および少なくとも１個の３級アミノ基を有するポリアミンを含んでいる。適当なポリアミンの例にはＮ，Ｎ，Ｎ”，Ｎ”−テトラアルキルジアルキレントリアミン（２個の末端３級アミノ基、および１個の中央の２級アミノ基を含む）、Ｎ，Ｎ，Ｎ’，Ｎ”−テトラアルキルトリアルキレンテトラミン（１個の末端３級アミノ基、２個の内部の３級アミノ基、および１個の末端１級アミノ基を含む）、Ｎ，Ｎ，Ｎ’，Ｎ”，Ｎ’”−ペンタアルキルトリアルキレンテトラミン（１個の末端３級アミノ基、２個の内部の３級アミノ基、および１個の末端２級アミノ基を含む）、トリス（ジアルキルアミノアルキル）アミノアルキルメタン（３個の末端３級アミノ基、および１個の末端１級アミノ基を含む）および同様な化合物が含まれる。ここでアルキル基は同一または相異なることができ、典型的にはそれぞれ約１２個以下の炭素原子を含み、好ましくはそれぞれ１〜４個の炭素原子を含んでいる。最も好ましくはこれらのアルキル基はメチルおよび／またはエチル基である。この種のポリアミン反応原料はジメチルアミノプロピルアミン（ＤＭＡＰＡ）およびＮ−メチルピペラジンを含み得る。
【００４５】
本発明に適したヒドロキシアミンは、ヒドロカルビル置換琥珀酸またはその無水物と反応し得る少なくとも１個の１級または２級アミンを含む化合物、オリゴマーまたは重合体を含んでいる。本発明に使用するのに適したヒドロキシアミンの例には、アミノエチルエタノールアミン（ＡＥＥＡ）、アミノプロピルジエタノールアミン（ＡＰＤＥＡ）、エタノールアミン、ジエタノールアミン（ＤＥＡ）、部分的にプロポキシル化されたヘキサメチレンジアミン（例えばＨＭＤＡ−２ＰＯまたはＨＭＤＡ−３ＰＯ）、３−アミノ−１，２−プロパンジオール、トリス（ヒドロキシメチル）アミノメタン、および２−アミノ−１，３−プロパンジオールが含まれる。
【００４６】
アミン対ヒドロカルビル置換琥珀酸またはその無水物のモル比は、１：１〜約３．０：１の範囲であることができる。アミン対ヒドロカルビル置換琥珀酸またはその無水物のモル比の他の例は約１．５：１〜約２．０：１の範囲にあることができる。
【００４７】
上記の分散剤はまた、例えばＳｃａｔｔｅｒｇｏｏｄに対する米国特許第５，７８９，３５３号明細書に記載されているように分散剤をマレイン酸無水物および硼酸で処理してつくられるか、或いはＤｅＧｏｎｉａ等に対する米国特許第５，１３７，９８０号明細書に記載されているように分散剤をノニルフェノール、フォルムアルデヒドおよびグリコール酸で処理してつくられる後処理された分散剤であることができる。
【００４８】
マンニッヒ塩基分散剤は典型的には環上に長鎖アルキル置換基を有するアルキルフェノールと炭素数１〜約７の１種またはそれ以上の脂肪族アルデヒド（特にフォルムアルデヒドおよびその誘導体）およびポリアミン（特にポリアルキレンポリアミン）との反応生成物であることができる。例えばマンニッヒ塩基の無灰分散剤は約１モル濃度の割合の長鎖炭化水素置換フェノールを、約１〜約２．５モルのフォルムアルデヒドおよび約０．５〜約２モルのポリアルキレンポリアミンと縮合させることによりつくることができる。
【００４９】
マンニッヒ・ポリアミン分散剤を製造するための炭化水素原料は、実質的に飽和した石油溜分、およびオレフィン重合体、例えば炭素数２〜約６のモノオレフィンの重合体から誘導される。分散剤に実質的に油溶性を与えるためには、これらの炭化水素原料は一般に少なくとも約４０個、他の例としては少なくとも約５０個の炭素原子を含んでいる。容易な反応性および低価格のために、ＧＰＣによる数平均分子量が約６００〜５，０００のオレフィン重合体が適している。しかしこれよりも高い分子量の重合体も使用することができる。特に適切な炭化水素原料はイソブチレン重合体およびイソブチレンと抽残油（ｒａｆｆｉｎａｔｅ）Ｉ生成流の混合物からつくられた重合体である。
【００５０】
適切なマンニッヒ塩基分散剤は、約１モルの割合の長鎖炭化水素置換フェノールを約１〜２．５モルの割合のフォルムアルデヒドおよび約０．５〜２モルの割合のポリアルキレンポリアミンと縮合させることによってつくられたマンニッヒ塩基無灰分散剤である。
【００５１】
無灰分散剤として適している重合ポリアミン分散剤は、塩基性のアミン基および油溶性を与える基（例えば少なくとも約８個の炭素原子をもった側鎖のアルキル基）を含む重合体である。このような材料の例にはメタクリル酸デシル、ビニルデシルエーテルまたは比較的高分子量のオレフィンのような種々の単量体とアクリル酸アミノアルキルおよびアミノアルキルアクリルアミドとからつくられた混合重合体がある。重合ポリアミン分散剤の例は例えば米国特許第３，３２９，６５８号明細書、同第３，４４９，２５０号明細書、同第３，４９３，５２０号明細書、同第３，５１９，５６５号明細書、同第３，６６６，７３０号明細書、同第３，６８７，８４９号明細書および同第３，７０２，３００号明細書に記載されている。重合ポリアミンはヒドロカルビル基がイソブテンと上記の抽残油Ｉ供給流との重合生成物から構成されたヒドロカルビルポリアミンを含むことができる。ＰＩＢ−アミンおよびＰＩＢ−ポリアミンも使用できる。
【００５２】
上記の無灰分散剤の製造法は当業界の専門家には公知であり、特許文献に報告されている。上記種類の種々の無灰分散剤の合成法は例えば下記の米国特許明細書に記載されている：第２，４５９，１１２号，第２，９６２，４４２号，第２，９８４，５５０号，第３，０３６，００３号，第３，１６３，６０３号，第３，１６６，５１６号，第３，１７２，８９２号、第３，１８４，４７４号，第３，２０２，６７８号，第３，２１５，７０７号，第３，２１６，９３６号，第３，２１９，６６６号，第３，２３６，７７０号，第３，２５４，０２５号，第３，２７１，３１０号，第３，２７２，７４６号，第３，２７５，５５４号，第３，２８１，３５７号，第３，３０６，９０８号，第３，３１１，５５８号，第３，３１６，１７７号，第３，３３１，７７６号，第３，３４０，２８１号，第３，３４１，５４２号，第３，３４６，４９３号，第３，３５１，５５２号，第３，３５５，２７０号，第３，３６８，９７２号，第３，３８１，０２２号，第３，３９９，１４１号，第３，４１３，３４７号，第３，４１５，７５０号，第３，４３３，７４４号，第３，４３８，７５７号，第３，４４２，８０８号，第３，４４４，１７０号，第３，４４８，０４７号，第３，４４８，０４８号，第３，４４８，０４９号，第３，４５１，９３３号，第３，４５４，４９７号，第３，４５４，５５５号，第３，４５４，６０７号，第３，４５９，６６１号，第３，４６１，１７２号，第３，４６７，６６８号，第３，４９３，５２０号，第３，５０１，４０５号，第３，５２２，１７９号，第３，５３９，６３３号，第３，５４１，０１２号，第３，５４２，６８０号，第３，５４３，６７８号，第３，５５８，７４３号，第３，５６５，８０４号，第３，５６７，６３７号，第３，５７４，１０１号，第３，５７６，７４３号，第３，５８６，６２９号，第３，５９１，５９８号，第３，６００，３７２号，第３，６３０，９０４号，第３，６３２，５１０号，第３，６３２，５１１号，第３，６３４，５１５号，第３，６４９，２２９号，第３，６９７，４２８号，第３，６９７，５７４号，第３，７０３，５３６号，第３，７０４，３０８号，第３，７２５，２７７号，第３，７２５，４４１号，第３，７２５，４８０号，第３，７２６，８８２号，第３，７３６，３５７号，第３，７５１，３６５号，第３，７５６，９５３号，第３，７９３，２０２号，第３，７９８，１６５号，第３，７９８，２４７号，第３，８０３，０３９号，第３，８０４，７６３号，第３，８３６，４７１号，第３，８６２．９８１号，第３，８７２，０１９号，第３，９０４，５９５号，第３，９３６，４８０号，第３，９４８，８００号，第３，９５０，３４１号，第３，９５７，７４６号，第３，９５７，８５４号，第３，９５７，８５５号，第３，９８０，５６９号，第３，９８５，８０２号，第３，９９１，０９８号，第４，００６，０８９号，第４，０１１，３８０号，第４，０２５，４５１号，第４，０５８，４６８号，第４，０７１，５４８号，第４，０８３，６９９号，第４，０９０，８５４号，第４，１７３，５４０号，第４，２３４，４３５号，第４，３５４，９５０号，第４，４８５，０２３号，第５，１３７，９８０号，およびＲｅ  ２６，４３３号。これらの特許は引用により本明細書に包含される。
【００５３】
適当な無灰分散剤の一例は硼酸化された分散剤である。硼酸化された分散剤は塩基性の窒素および／または少なくとも１個のヒドロキシル基を分子中にもつ無灰分散剤、例えば琥珀酸イミド分散剤、琥珀酸アミド分散剤、琥珀酸エステル分散剤、琥珀酸エステル−アミド分散剤、マンニッヒ塩基分散剤、またはヒドロカルビルアミンもしくはポリアミン分散剤を硼酸塩化（硼酸化）することによってつくることができる。
【００５４】
硼酸化された分散剤は少なくとも一つのポリアルキレン部分を含んでいることができる。他の例としては、硼酸化された分散剤は少なくとも二つのポリアルキレン部分を含んでいることができる。このポリアルキレン部分は重量平均分子量として約３００〜約３０００の分子量をもっていることができる。例えばポリアルキレン部分は重量平均分子量として約１３００〜約２１００の分子量をもっていることができる。さらに他の例としてはポリアルキレン部分は重量平均分子量として約２１００の分子量をもっていることができる。ポリアルキレン部分はポリブテニル基を含んでいることができる。上記の種々の種類の無灰分散剤を硼酸化するのに使用できる方法は米国特許第３，０８７，９３６号明細書、同第３，２５４，０２５号明細書、同第３，２８１，４２８号明細書、同第３，２８２，９５５号明細書、同第２，２８４，４０９号明細書、同第２，２８４，４１０号明細書、同第３，３３８，８３２号明細書、同第３，３４４，０６９号明細書、同第３，５３３，９４５号明細書、同第３，６５８，８３６号明細書、同第３，７０３，５３６号明細書、同第３，７１８，６６３号明細書、同第４，４５５，２４３号明細書、および同第４，６５２，３８７号明細書に記載されている。
【００５５】
硼酸化された分散剤は、それが最高２重量％の硼素を含むように硼素で処理された高分子量の分散剤を含むことができる。他の例としては硼酸化された分散剤は約０．８重量％以下の硼素を含んでいることができる。さらに他の例としては、硼酸化された分散剤は約０．１〜約０．７重量％の硼素を含んでいることができる。さらに他の例としては、硼酸化された分散剤は約０．２５〜約０．７重量％の硼素を含んでいることができる。さらに他の例としては、硼酸化された分散剤は約０．３５〜約０．７重量％の硼素を含んでいることができる。取り扱いを容易にするために分散剤を適当な粘度の油中に溶解することができる。ここに記載した重量％は希釈剤の油を加えない正味の分散剤に対する値であると了解されたい。
【００５６】
分散剤をさらに有機酸、無水物、および／またはアルデヒド／フェノール混合物と反応させることができる。このような方法は例えばエラストマーの密封性との相容性を強化することができる。硼酸化された分散剤はさらに硼酸化された分散剤の混合物を含んでいることができる。他の例としては、硼酸化された分散剤は窒素を含む分散剤および／または燐を含まない分散剤であることができる。
【００５７】
適当な分散剤はフォスフォリル化された分散剤であることができる。例えばマンニッヒ分散剤または琥珀酸イミド分散剤を燐の化合物、例えば燐を含む酸と反応させることができる。燐を含む適当な酸は例えば亜燐酸（Ｈ３ＰＯ３）、亜燐酸水素ジブチル（ＤＢＨＰ）、ジアルキルジチオ燐酸等を含んでいる。さらにポリイソブチレン琥珀酸無水物のような琥珀酸イミド分散剤はフォスフォリル化および／または硼酸化して適当な分散剤にすることができる。
【００５８】
分散剤は動力伝達用流体の中に約０．１〜約１０重量％の量で存在することができる。また動力伝達用流体は約２〜約７重量％の分散剤を含んでいることができる。さらに動力伝達用流体は約３〜約５重量％の分散剤を含んでいることができる。さらに動力伝達用流体は仕上げられた流体中に重量で最高１９００ｐｐｍの硼素、例えば約５０〜約５００ｐｐｍの硼素を与えるのに十分な量の硼酸化された分散剤を含んでいることができる。
【００５９】
耐摩耗性添加剤
耐摩耗性添加剤は燐を含む耐摩耗性添加剤を含むことができ、これは燐酸、亜燐酸の有機エステル、或いはそれらのアミン塩を含むことができる。例えば燐を含む耐摩耗性添加剤は１種またはそれ以上の亜燐酸ジヒドロカルビル、亜燐酸トリヒドロカルビル、燐酸ジヒドロカルビル、燐酸トリヒドロカルビル、それらの硫黄類似体、およびそれらのアミン塩を含むことができる。さらに他の例としては、燐を含む耐摩耗性添加剤は亜燐酸水素ジブチル（例えばＥｔｈｙｌ  Ｃｏｒｐｏｒａｔｉｏｎ製のＨｉＴＥＣ（Ｒ）５２８耐摩耗性添加剤）および硫化した亜燐酸水素ジブチル（例えばＥｔｈｙｌ  Ｃｏｒｐｏｒａｔｉｏｎ製のＨｉＴＥＣ（Ｒ）８３３耐摩耗性添加剤）の少なくとも一つを含んでいることができる。
【００６０】
燐を含む耐摩耗性添加剤は動力伝達用流体に関して重量で約５０〜約５００ｐｐｍの燐を与えるのに十分な量で存在していることができる。他の例としては、燐を含む耐摩耗性添加剤は動力伝達用流体に関して重量で約１５０〜約３００ｐｐｍの燐を与えるのに十分な量で存在していることができる。
【００６１】
動力伝達用流体は約０．０１〜約１．０重量％の燐を含む耐摩耗性添加剤を含んでいることができる。他の例としては、動力伝達用流体は約０．２〜約０．３重量％の燐を含む耐摩耗性添加剤を含んでいることができる。さらに他の例としては、動力伝達用流体は約０．１〜約０．２重量％の亜燐酸水素ジブチル、または０．３〜約０．４重量％の硫黄化された亜燐酸水素ジブチルのアミン塩を含んでいることができる
摩擦調整剤
摩擦調整剤は低い滑り速度において表面（例えばトルクコンバーター用のクラッチまたは変速シフト用のクラッチの部材）の間の摩擦を減少させるために自動車の動力伝達用流体に使用される。その結果、摩擦耐速度（ｕ−ｖ）曲線が正の傾斜をもつようになり、それによって滑らかなクラッチの係合が行われ、「粘着−滑り」挙動（例えば震え、雑音、および衝撃を伴うシフト）が最低限度に抑制される。しかし従来の多くの有機摩擦調整剤は熱的に不安定である。長期間熱をかけるとこれらの添加物は分解し、それがクラッチの性能に与える利点が失われる。本発明に記載された摩擦特性を調整する琥珀酸イミドは非常に優れた熱的安定性を示す。この摩擦調整剤を含む組成物は熱的なストレスを受けても摩擦の性能が殆ど変化しない。
【００６２】
摩擦調整剤は脂肪族アミンまたはエトキシル化された脂肪族アミン、エーテルアミン、アルコキシル化されたエーテルアミン、脂肪族の脂肪酸アミド、アシル化されたアミン、脂肪族カルボン酸、脂肪族カルボン酸エステル、ポリオールエステル、脂肪族カルボン酸エステルアミド、イミダゾリン、３級アミン、脂肪族フォスフォネート、脂肪族フォスフェート、脂肪族チオフォスフォネート、脂肪族チオフォスフェート等のような化合物であって、脂肪族の基が通常１個またはそれ以上の炭素原子を含み、該化合物に油溶性を与えている化合物を含んでいる。他の一例としては、脂肪族の基は約８個以上の炭素原子を含んでいることができる。また１種またはそれ以上の脂肪族琥珀酸またはその無水物とアンモニア、１級アミンとの反応によって生じる脂肪族の基で置換された琥珀酸イミドも適している。
【００６３】
この琥珀酸イミドは琥珀酸無水物とアンモニアまたは１級アミンとの反応生成物を含んでいることができる。アルケニル琥珀酸のアルケニル基は短鎖のアルケニル基であることができ、例えばアルケニル基は約１２〜約３６個の炭素原子を含んでいることができる。さらに、この琥珀酸イミドはＣ１２〜約Ｃ３６の脂肪族ヒドロカルビル琥珀酸イミドを含んでいることができる。他の例としては琥珀酸イミドはＣ１６〜約Ｃ２８の脂肪族ヒドロカルビル琥珀酸イミドを含んでいることができる。さらに他の例としては琥珀酸イミドはＣ１８〜約Ｃ２４の脂肪族ヒドロカルビル琥珀酸イミドを含んでいることができる。
【００６４】
この琥珀酸イミドはヨーロッパ特許出願第０  ０２０  ０３７号記載のように琥珀酸無水物とアンモニアとから製造することができる。この特許出願は引用により本明細書に包含される。さらにこの琥珀酸イミドはＥｔｈｙｌ  Ｃｏｒｐｏｒａｔｉｏｎ製のＨｉＴＥＣ（Ｒ）３１９１摩擦調整剤を含んでいることができる。いくつかの具体化例においては、本発明に記載された琥珀酸イミド以外の非金属性摩擦調整剤が含まれている。
【００６５】
琥珀酸イミドは１種またはそれ以上の下記構造をもつ化合物を含んでいることができる。
【００６６】
【化１】
2005194529.tif 000004
【００６７】
ここでＺは構造
【００６８】
【化２】
2005194529.tif 000005
【００６９】
をもつことができる。但し、Ｒ１またはＲ２のいずれかは水素であることができるが、両方が水素であることはなく、またＲ１またはＲ２は独立に直鎖または分岐した炭素数約１〜約３４の炭化水素基であり、Ｒ１及びＲ２中の炭素原子の総数は約１１〜約３５であり、Ｘはアンモニアまたは１級アミンから誘導されるアミノ基であり；さらにこれに加えて或いはその代わりに、親になる琥珀酸無水物はマレイン酸、その無水物またはエステルを炭素数約１２〜約３６の内部オレフィンと反応させることによってつくることができ、該内部オレフィンはそれを得るために直鎖のα−オレフィンまたはその混合物のオレフィン性二重結合を異性化して内部オレフィンの混合物にすることによってつくられる。この反応は等モル量のアンモニアを含むことができ、高温において脱水を伴って行うことができる。
【００７０】
摩擦調整剤の一つの群は、Ｎ−脂肪族ヒドロカルビル置換基がアセチレン性不飽和基をもたない炭素数が約１４〜約２０の範囲の少なくとも１種の直鎖Ｎ−脂肪族ヒドロカルビル基である直鎖Ｎ−脂肪族ヒドロカルビル置換ジエタノールアミンを含んでいる。
【００７１】
適切な摩擦調整剤系の一例は、Ｎ−脂肪族ヒドロカルビル置換基がアセチレン系不飽和基をもたない炭素数が約１４〜約２０の範囲の少なくとも１種のの直鎖Ｎ−脂肪族ヒドロカルビル基である少なくとも１種のＮ−脂肪族ヒドロカルビル置換ジエタノールアミンおよび少なくとも１種のＮ−脂肪族ヒドロカルビル置換トリメチレンジアミンの組み合わせから成っている。この摩擦調整剤系に関するこれ以上の詳細は米国特許第５，３７２，７３５号明細書および同第５，４４１，６５６号明細書に記載されている。
【００７２】
他の摩擦調整剤系は（ｉ）同一または相異なるヒドロキシアルキル基がそれぞれ２〜約４個の炭素原子を含み、脂肪族の基が炭素数約１０〜約２５の非環状ヒドロカルビル基である少なくとも１種のジ（ヒドロキシアルキル）脂肪族３級アミン、および（ｉｉ）ヒドロキシアルキル基が２〜約４個の炭素原子を含み、脂肪族の基が炭素数約１０〜約２５の非環状ヒドロカルビル基である少なくとも１種のヒドロキシアルキル脂肪族イミダゾリン、の組み合わせに基づくものである。この摩擦調整剤システムに関するさらに詳細に関しては米国特許第５，３４４，５７９号明細書を参照されたい。
【００７３】
他の適当な群の摩擦調整剤はポリオールエステル、例えばグリセリンモノオレエート（ＧＭＯ）、グリセリンモノラウレート（ＧＭＬ）等を含んでいる。
【００７４】
一般的に言ってこの組成物は最高約１．２５重量％の、さらに他の例においては約０．０５〜約１重量％の１種またはそれ以上の摩擦調整剤を含んでいることができる。
【００７５】
酸化防止剤
幾つかの具体化例においては、本発明の組成物の中に酸化防止剤化合物を含ませることができる。酸化防止剤は、特にフェノール性酸化防止剤、芳香族アミン酸化防止剤、硫化されたフェノール性酸化防止剤、および有機亜燐酸エステルを含んでいる。フェノール性酸化防止剤の例は２，６−ジ−ｔ−ブチルフェノール、ｔ−ブチル化されたフェノールの液体混合物、２，６−ジ−ｔ−ブチル−４−メチルフェノール、４，４’−メチレンビス（２，６−ジ−ｔ−ブチルフェノール）、２，２’−メチレンビス（４−メチル−６−ｔ−ブチルフェノール）、メチレン架橋ポリアルキルフェノール混合物、および４，４’−チオビス（２−メチル−ｔ−ブチルフェノール）、Ｎ，Ｎ’−ジ−ｓｅｃ−ブチル−フェニレンジアミン、４−イソプロピルアミノジフェニルアミン、フェニル−α−ナフチルアミン、フェニル−α−ナフチルアミン、および環がアルキル化されたジフェニルアミンを含んでいる。その例には立体障害をもったｔ−ブチル化されたフェノール、ビスフェノールおよび桂皮酸誘導体、並びにそれらの組み合わせを含んでいる。本発明の動力伝達用流体組成物の中における酸化防止剤の量は、該流体組成物の全量に関して約０．０１〜約３．０重量％の範囲にあることができる。他の一例としては、酸化防止剤は約０．１〜約１．０重量％の量で存在することができる。
【００７６】
腐蝕防止剤
幾つかの具体化例においては、本発明の組成物の中に含ませるのに適した他の種類の添加剤は銅に対する腐蝕防止剤であることができる。このような化合物にはチアゾール、トリアゾール、およびチアジアゾールが含まれる。これらの化合物の例にはベンゾトリアゾール、トリルトリアゾール、オクチルトリアゾール、デシルトリアゾール、ドデシルトリアゾール、２−メルカプトベンゾチアゾール、２，５−ジメルカプト−１，３，４−チアジアゾール、２−メルカプト−５−ヒドロカルビルチオ−１，３，４−チアジアゾール、２−メルカプト−５−ヒドロカルビルジチオ−１，３，４−チアジアゾール、２，５−ビス（ヒドロカルビルチオ）−１，３，４−チアジアゾール、および２，５−ビス（ヒドロカルビルジチオ）−１，３，４−チアジアゾールガ含まれる。適当な化合物にはその幾つかが市販品として得られる１，３，４−チアジアゾール、およびトリアゾール、例えばトリルトリアゾールと１，３，５−チアジアゾール、例えば２，５−ビス（アルキルジチオ）−１，３，４−チアジアゾールとの組み合わせが含まれる。開放された市場で入手できるこの種の材料にはＣＯＢＲＡＴＥＣ  ＴＴ−１００およびＨｉＴＥＣ（Ｒ）４３１３添加剤（Ｅｔｈｙｌ  Ｃｏｒｐｏｒａｔｉｏｎ）が含まれる。１，３，４−チアジアゾールは一般に公知方法によりヒドラジンおよび二硫化炭素から合成される。例えば米国特許第２，７６５，２８９号明細書、同第２，７４９，３１１号明細書、同第２，７６０，９３３号明細書、同第２，８５０，４５３号明細書、同第２，９１０，４３９号明細書、同第３，６６３，５６１号明細書、同第３，８６２，７９８号明細書、および同第３，８４０，５４９号明細書を参照のこと。
【００７７】
防錆剤または腐蝕防止剤は本発明の具体化例に使用される他の種類の防止剤添加物である。このような材料にはモノカルボン酸および多価カルボン酸が含まれる。適当なモノカルボン酸の例はオクタン酸、デカン酸、およびドデカン酸である。適当な多価カルボン酸は例えばトール油脂肪酸、オレイン酸、リノール酸等のような酸から製造されるようなダイマー酸およびトリマー酸である。この種の製品は現在種々の市販品として入手でき、例えばＷｉｔｃｏ  Ｃｈｅｍｉｃａｌ  ＣｏｒｐｏｒａｔｉｏｎのＨｕｍｋｏ  Ｃｈｅｍｉｃａｌ  ＤｉｖｉｓｉｏｎからＨＹＳＴＲＥＮＥの商品名で、またＨｅｎｋｅｌ  ＣｏｒｐｏｒａｔｉｏｎからＥＭＰＯＬの商品名で市販されている。他の有用な種類の防錆剤はアルケニル琥珀酸およびアルケニル琥珀酸無水物腐蝕防止剤、例えばテトラプロペニル琥珀酸、テトラプロペニル琥珀酸無水物、テトラデセニル琥珀酸、テトラデセニル琥珀酸無水物、ヘキサデセニル琥珀酸、ヘキサデセニル琥珀酸無水物等を含んでいることができる。アルケニル基の中の炭素数が８〜２０のアルケニル琥珀酸とポリグリコールのようなアルコールとの半エステルも有用である。他の適切な防錆剤または腐蝕防止剤はエーテルアミン；酸性フォスフェート；アミン；ポリエトキシル化された化合物、例えばエトキシル化されたアミン、エトキシル化されたフェノール、およびエトキシル化されたアルコール；イミダゾール；アミノ琥珀酸またはその誘導体等を含んでいる。これらの種類の材料は市販品として入手できる。このような防錆剤または腐蝕防止剤の混合物も使用できる。上記の動力伝達用流体組成物中における腐蝕防止剤の量は組成物の全量に関し約０．０１〜約２．０重量％の範囲であることができる。
【００７８】
泡消し剤
幾つかの具体化例においては、泡消し剤は本発明の組成物に使用するのに適した他の成分をなしていることができる。泡消し剤はシリコーン、ポリアクリレート、表面活性剤等から選ばれる。一つの適切なアクリル泡消し剤はＭｏｎｓａｎｔｏ  Ｃｏｍｐａｎｙ製のＰＣ−１２４４である。本発明の動力伝達用流体中の泡消し剤の量は組成物の全重量に関して約０．０１〜約０．５重量％の範囲であることができる。他の例としては、泡消し剤は約０．０１〜約０．１重量％の量で存在することができる。
【００７９】
密封膨潤剤
本発明の動力伝達用流体に使用される密封膨潤剤（ｓｅａｌ  ｓｗｅｌｌ  ａｇｅｎｔｓ）は油溶性のジエステル、油溶性のスルフォン、およびこれらの混合物から選ばれる。一般的に言えば、最も適したジエステルはＣ８〜Ｃ１３アルカノール（またはそれらの混合物）のアジピン酸エステル、アゼライン酸エステル、およびセバチン酸エステル、およびＣ４〜Ｃ１３アルカノール（またはそれらの混合物）のフタル酸エステルを含んでいる。異なった種類のジエステルの２種またはそれ以上の混合物（例えばアジピン酸ジアルキルとアゼライン酸ジアルキル等）も使用することができる。このような材料の例にはアジピン酸、アゼライン酸およびセバチン酸のｎ−オクチル、２−エチルヘキシル、イソデシル、およびトリデシルジエステル、およびフタル酸のｎ−ブチル、イソブチル、ペンチル、ヘキシル、ヘプチル、オクチル、ノニル、デシル、ウンデシル、ドデシルおよびトリデシルジエステルが含まれる。
【００８０】
一般的に同等な性能を示すことができる他のエステルはポリオールエステル、例えばＨｅｎｋｅｌ  ＣｏｒｐｏｒａｔｉｏｎのＥｍｅｒｙグループ製の、ＥＭＥＲＹ  ２９３５，２９３６，および２９３９エステル、およびＨａｔｃｏ  Ｃｏｒｐｏｒａｔｉｏｎ製のＨＡＴＣＯＬ  ２３５２、２９６２、２９２５、２９３８、２９３９、２９７０、３１７８および４３２２ポリオールエステルである。
【００８１】
適切なスルフォン密封膨潤剤は米国特許第３，９７４，０８１号明細書、および同第４，０２９，５８７号明細書に記載されている。Ｌｕｂｒｉｚｏｌ  ７３０添加剤（Ｔｈｅ  Ｌｕｂｒｉｚｏｉ  Ｃｏｒｐｏｒａｔｉｏｎ）は市販品として入手できるスルフォン型の密封膨潤剤と考えられている。典型的には、これらの製品は仕上げられた動力伝達用流体の中で約０．２５〜約５重量％の範囲の濃度で使用される。他の一例としては、約０．２５〜約１重量％の量で加えられる。
【００８２】
適切な密封膨潤剤は（ｉ）アジピン酸、（ｉｉ）セバチン酸、または（ｉｉｉ）フタル酸の油溶性のジアルキルエステルである。アジピン酸およびセバチン酸のエステルは仕上げられた流体の中で約１〜約１５重量％の量で使用しなければならない。フタル酸エステルの場合には、動力伝達用流体中の濃度は約１．５〜約１０重量％の範囲に入らなければならない。一般的に言って、アジピン酸、セバチン酸又はフタル酸のエステルの分子量が高いほど、上記の範囲内で処理割合を高くしなければならない。
【００８３】
本発明に記載された組成物を調合するのに使用される添加剤は基油の中に個別的に或いは種々の区分けした組み合わせにして配合することができる。しかし、添加剤濃縮物（即ち添加剤と希釈剤、例えば炭化水素溶媒）を用いてすべての成分を同時に配合することが適切である。添加剤濃縮物を使用すると、添加剤濃縮物の形にした場合成分を組み合わせることによって相互間の相容性が与えられる利点がある。また濃縮物を使用すると、配合時間が短縮され、配合の際の誤りが少なくなる。
【００８４】
本発明の動力伝達用流体は、例えば段階的な自動変速機または手動変速機のような動力伝達の用途に適した流体を含んでいることができる。さらに本発明の動力伝達用流体は、滑りトルクコンバーター、固定トルクコンバーター、始動用のクラッチ、および／または１個またはそれ以上の変速用のクラッチをもつ変速機に使用するのに適している。このような変速機は４段−、５段−、６段−または７段−変速機を含むことができ、或いは連続的な可変変速機（無段階変速機）（チェーン型、ベルト型、およびディスク型）を含んでいることができる。また該流体は自動化された手動および二重クラッチ変速機を含む手動変速機に使用することもできる。
【００８５】
図１および下記の表は１〜３００ｒｐｍの範囲の速度において炭素繊維の摩擦板の上における動力伝達用流体の摩擦係数の特性を示している。この挙動はトルクコンバーターのクラッチの中における流体の性能と関連している。これらの図に示されたｕ−ｖ曲線はＳＡＥ  ９４０８２１に記載されたＳＡＥ  Ｎｏ．２の装置を用いて得られた。この文献は引用により本明細書に包含される。摩擦係数は８９０ｋＰａの圧力、１２０℃の温度、および滑り時間２．９秒において決定した。
【００８６】
図１および下記の表は粘度指数向上剤（ＶＩＩ）を加えまたは加えなかった場合の基準線（ｂａｓｅｌｉｎｅ）の流体のｕ−ｖ特性を示す。試験した流体は基準線流体を含んでいる（二重に描かれている基準線Ｉおよび、基準線１Ａ）。これは粘度変性剤を含まない典型的なＡＴＦの一例であり、成分の種類によるその処方は次の通りである。
成分の種類                  仕上げられた流体中の重量％
摩擦調整剤                      ０．０１〜０．５
硫黄剤                          ０．０１〜１．５
酸化防止剤                      ０．０１〜２．０
防錆剤                          ０．０１〜０．３
耐摩耗性添加剤                  ０．０５〜５．０
清浄剤                          ０．０１〜１．０
分散剤                          ０．５〜１０．０
泡消し剤                        ０．０００１〜０．５
基油（鉱油および／または合成油）    残り
この表および図の中の他の流体は基準線流体および下記の増ちょう剤の１種を含んでいた。
【００８７】
ＶＩＩ  Ａは数平均分子量（ＭＷＮ）が１２００のポリイソブチレンである。
【００８８】
ＶＩＩ  ＢはＭＷＮが２１００のマンニッヒ分散剤である。
【００８９】
ＶＩＩ  ＣはＭＷＮが２１００のＰＩＢＳＡ＋ノニルフェノール，フォルムアルデフドおよびグリコール酸で後処理されたＳＡ／ＰＩＢのモル比が約１．１以上のＰＩＢＳＡ＋ポリアミンである。
【００９０】
ＶＩＩ  ＤはＭＷＮが１３００のＰＩＢＳＡ＋ポリアミンである。
【００９１】
ＶＩＩ  ＥはＭＷＮが２１００のＰＩＢ−フェノール・マンニッヒ反応生成物である。
【００９２】
ＶＩＩ  ＦはＭＷＮが２１００のＳＡ／ＰＩＢ比が約１．１以上のＰＩＢＳＡ＋ポリアミンである。
【００９３】
【表２】
2005194529.tif 000006
【００９４】
上記の表および図１に示されているように、官能基をもった分散剤を含まない基準線流体は１〜３００ｒｐｍの範囲に亙って許容し得る摩擦係数（ｕ）特性を有し、最大値ｕと最小値ｕとの差は０．００５である。しかし基準線流体の動粘度およびＢｒｏｏｋｆｉｅｌｄ粘度は低い。上記具体化例による増ちょう剤を７．５重量％含んだ基準線流体（ＶＩＩ  Ａ）は基準線流体に比べて動粘度（ＫＶ）は高く、またＢｒｏｏｋｆｉｅｌｄ粘度（ＢＶ）は実質的に高いが、最大値ｕと最小値ｕとの差は基準線流体と同じであった。この結果を表に記載された他の増ちょう剤と比較する。これから分かるように、他の増ちょう剤（ＶＩＩ  Ｂ〜ＶＩＩ  Ｆ）はすべてＶＩＩ  Ａよりも最大値ｕと最小値ｕとの差が大きく、粘度は低かった。
【００９５】
本明細書の多くの場所において米国特許が参照されている。本明細書に記載された場合、ここに挙げられた文献は引用により明らかに完全に本明細書に包含される。
【００９６】
上記の本発明の詳細な説明および実施例を考慮することにより他の具体化例は当業界の専門家には明らかであろう。本明細書および特許請求の範囲を通して使用されているように、単数の表現は単数および複数の表現に適用することができる。特記しない限り、本明細書および特許請求の範囲に使用された成分の量、分子量のような性質、％、比、反応条件等を表すすべての数字は、すべての場合において「約」と言う言葉で修飾されていると了解されたい。従ってそうでないことが示されていない限り、本明細書および特許請求の範囲に記載された数値パラメータは近似値であって、その数値は本発明により得ることを求められる所望の性質に依存して変わる場合がある。少なくとも、但し特許請求の範囲に対し均等の原則の適用を制限するつもりはないが、各数値パラメータは報告された有効桁数の数を考慮し通常の四捨五入の方法を用いて解釈されなければならない。本発明の広義の範囲を規定した数値の範囲およびパラメータは近似的ではあるが、上記の実施例に記載された数値はできるだけ正確に報告されている。しかし、本来、いずれの数値もそれぞれの試験に対する測定法に見られる標準偏差に必然的に由来する或る程度の誤差を含んでいる。上記の本明細書の説明および実施例は単に例示の目的をもつものであり、本発明の真の範囲および精神は特許請求の範囲に記載されていると考えられたい。
【００９７】
本発明の主な特徴および態様は次の通りである。
【００９８】
１．（ａ）基油、および
（ｂ）ゲル浸透クロマトグラフ法で決定された重量平均分子量が約３００〜約１０，０００の分子量範囲をもつポリイソアルキレン成分を粘度指数向上量で含む添加剤組成物、を含んで成る動力伝達用流体であって、
該動力伝達用流体は約９センチストークス未満の動粘度（１００℃におけるＫＶ）および約３０，０００センチポアズ未満のＢｒｏｏｋｆｉｅｌｄ粘度（−４０℃におけるＢＶ）を示し、該流体に対する摩擦対速度曲線は、ポリイソアルキレン成分を含まない同様な流体に比べ、高い速度においてより大きな正の傾斜をもっている動力伝達用流体。
【００９９】
２．基油は１種またはそれ以上の天然油、天然油の混合物、合成油、合成油の混合物、および天然油と合成油との混合物を含んで成る上記第１項記載の流体。
【０１００】
３．天然油は１種またはそれ以上の鉱油、植物油、および鉱油と植物油との混合物を含んで成る上記第２項記載の流体。
【０１０１】
４．合成油は１種またはそれ以上のα−オレフィンのオリゴマー、エステル、Ｆｉｓｃｈｅｒ−Ｔｒｏｐｓｃｈ法で誘導された油、ガス−液体貯蔵原料、およびこれらの混合物を含んで成る上記第２項記載の流体。
【０１０２】
５．基油は１００℃において約２〜約１０センチストークスの動粘度をもっている上記第１項記載の流体。
【０１０３】
６．ポリイソアルキレンは約５００〜３０００の範囲の重量平均分子量をもつポリイソブチレンを含んで成る上記第１項記載の流体。
【０１０４】
７．ポリイソブチレンは水素化されている上記第６項記載の流体。
【０１０５】
８．添加剤組成物は約１０〜約９０重量％のポリイソアルキレン成分を含んで成る上記第１項記載の流体。
【０１０６】
９．添加剤組成物はさらにポリメタクリレート、オレフィン共重合体、およびスチレン−マレイン酸エステルから成る群から選ばれる１種またはそれ以上の粘度指数向上剤を含んで成る上記第１項記載の流体。
【０１０７】
１０．添加剤組成物はさらに１種またはそれ以上の無灰分散剤、酸化防止剤、耐摩耗性添加剤、摩擦調整剤、泡消し剤および腐蝕防止剤を含んで成る上記第１項記載の流体。
【０１０８】
１１．該無灰分散剤は１種またはそれ以上のヒドロカルビル琥珀酸イミド、ヒドロカルビル琥珀酸アミド、ポリオールエステル、ヒドロカルビル置換琥珀酸の混合エステル／アミド、およびヒドロカルビル置換フェノール、フォルムアルデヒドおよびポリアミンから得られるマンニッヒ縮合生成物を含んで成る上記第１０項記載の流体。
【０１０９】
１２．摩擦調整剤は１種またはそれ以上の脂肪族脂肪酸アミン、エーテルアミン、アルコキシル化された脂肪族脂肪酸アミン、アルコキシル化されたエーテルアミン、油溶性の脂肪族カルボン酸、ポリオールエステル、脂肪酸アミド、アシル化されたアミン、イミダゾリン、３級アミン、およびアンモニアまたは１級アミンと反応したヒドロカルビル琥珀酸イミドを含んで成る上記第１０項記載の流体。
【０１１０】
１３．酸化防止剤は１種またはそれ以上のビス−アルキル化ジフェニルアミン、フェニル−αまたはβ−ナフチルアミン、立体障害をもったフェノール、ビスフェノール、および桂皮酸誘導体を含んで成る上記第１０項記載の流体。
【０１１１】
１４．耐摩耗性添加剤は１種またはそれ以上の燐酸のエステルおよびその塩、亜燐酸のエステルおよびその塩、ジアルキルジチオ燐酸のエステルおよびその塩、燐酸、および亜燐酸を含んで成る上記第１０項記載の流体。
【０１１２】
１５．泡消し剤は１種またはそれ以上のシリコーンおよびポリアクリレートを含んで成る上記第１０項記載の流体。
【０１１３】
１６．該流体は１個またはそれ以上の滑りトルクコンバーター、固定トルクコンバーター、始動用のクラッチ、および／または１個またはそれ以上の変速用のクラッチを用いる１個またはそれ以上の変速機に使用するのに適している上記第１項記載の流体。
【０１１４】
１７．該流体は１個またはそれ以上のベルト型、チェーン型、およびディスク型の連続可変式変速機に使用するのに適している上記第１項記載の流体。
【０１１５】
１８．上記第１項記載の流体を含む自動変速機。
【０１１６】
１９．該自動変速機は定常的に可変できる変速機を含んで成る上記第１８項記載の自動変速機。
【０１１７】
２０．該変速機は炭素繊維の摩擦板を含んで成る上記第１８項記載の自動変速機。
【０１１８】
２１．動力伝達用流体の剪断安定性を改善する方法において、該方法は
基油を用意し、
ゲル浸透クロマトグラフ法で決定された重量平均分子量が約３００〜約１０，０００の分子量範囲をもつポリイソアルキレン成分を約１０〜約９０重量％の量で含んで成る添加剤組成物を基油に加え、ここで該添加剤組成物を含む該基油は約９センチストークス未満の動粘度（１００℃におけるＫＶ）および約３０，０００未満のＢｒｏｏｋｆｉｅｌｄ粘度（−４０℃におけるＢＶ）を示し、該オイルおよび添加剤組成物に対する摩擦対速度曲線は、ポリイソアルキレン成分を含まない同様な流体に比べ、高い速度においてより大きな正の傾斜をもっている方法。
【０１１９】
２２．基油は１種またはそれ以上の天然油、天然油の混合物、合成油、合成油の混合物、および天然油と合成油との混合物を含んで成る上記第２１項記載の方法。
【０１２０】
２３．天然油は１種またはそれ以上の鉱油、植物油、および鉱油と植物油との混合物を含んで成る上記第２２項記載の方法。
【０１２１】
２４．合成油は１種またはそれ以上のα−オレフィンのオリゴマー、エステル、Ｆｉｓｃｈｅｒ−Ｔｒｏｐｓｃｈ法から誘導される油、ガス−液体の貯蔵原料、およびこれらの混合物を含んで成る上記第２２項記載の方法。
【０１２２】
２５．基油は１００℃における動粘度が約２〜約１０センチストークスである上記第２１項記載の方法。
【０１２３】
２６．ポリイソアルキレンは重量平均分子量が約５００〜約３０００であるポリイソブチレンを含んでなる上記第２１項記載の方法。
【０１２４】
２７．該ポリイソブチレンは水素化されている上記第２６項記載の方法。
【０１２５】
２８．添加剤組成物は約２０〜約９０重量％のポリイソアルキレン成分を含んで成る上記第２１項記載の方法。
【０１２６】
２９．該添加剤はさらにポリメタクリレート、オレフィン共重合体およびスチレン−マレイン酸エステルから成る群から選ばれる１種またはそれ以上の粘度指数向上剤成分を含んで成る上記第２１項記載の方法。
【０１２７】
３０．該添加剤組成物はさらに１種またはそれ以上の無灰分散剤、酸化防止剤、耐摩耗性添加剤、摩擦調整剤、泡消し剤、および腐蝕防止剤を含んでなる上記第２１項記載の方法。
【０１２８】
３１．無灰分散剤は１種またはそれ以上のヒドロカルビル琥珀酸イミド、ヒドロカルビル琥珀酸アミド、ポリオールエステル、ヒドロカルビル置換琥珀酸の混合エステル／アミド、およびヒドロカルビル置換フェノール、フォルムアルデヒド、およびポリアミンのマンニッヒ縮合生成物を含んで成る上記第３０項記載の方法。
【０１２９】
３２．摩擦調整剤は１種またはそれ以上の脂肪族脂肪酸アミン、エーテルアミン、アルコキシル化された脂肪族脂肪酸アミン、アルコキシル化されたエーテルアミン、油溶性の脂肪族カルボン酸、ポリオールエステル、脂肪酸アミド、アシル化されたアミン、イミダゾリン、３級アミン、およびアンモニアまたは１級アミンと反応させたヒドロカルビル琥珀酸イミドを含んで成る上記第３０項記載の方法。
【０１３０】
３３．酸化防止剤は１種またはそれ以上のビスアルキル化されたジフェニルアミン、フェニル−αまたはβ−ナフチルアミン、立体障害をもったフェノール、ビスフェノール、、および桂皮酸誘導体を含んで成る上記第３０項記載の方法。
【０１３１】
３４．耐摩耗性添加剤は１種またはそれ以上の燐酸のエステルおよびその塩、亜燐酸のエステルおよびその塩、ジアルキルジチオ燐酸エステルおよびその塩、燐酸、亜燐酸を含んで成る上記第３０項記載の方法。
【０１３２】
３５．泡消し剤は１種またはそれ以上のシリコーンおよびポリアクリレートを含んで成る上記第３０項記載の方法。
【０１３３】
３６．該流体は滑りトルクコンバーター、固定トルクコンバーター、始動用のクラッチ、および／または１個またはそれ以上の変速用のクラッチを用いる変速機に使用するのに適している上記第２１項記載の方法。
【０１３４】
３７．該流体はベルト型、チェーン型、およびディスク型の連続可変式変速機に使用するのに適している上記第３１項記載の方法。
【０１３５】
３８．動力伝達用流体のための添加剤濃縮物であって、該添加剤濃縮物は、
ゲル浸透クロマトグラフ法で決定された重量平均分子量が約５００〜約１０，０００の分子量範囲をもつポリイソアルキレンを含んで成る少なくとも第１の増ちょう剤、
１種またはそれ以上のポリメタクリレート、オレフィン共重合体、およびスチレン−マレイン酸エステルを含んで成る第２の増ちょう剤を含んで成り、
該添加剤濃縮物中に存在する該第１および第２の粘度指数向上剤の全量は約１０〜９０重量％の範囲であり、該添加剤濃縮物はさらに約５〜約２５重量％の基油を含んで成り、該添加剤濃縮物を約１〜約３０重量％含む動力伝達用流体は約９センチストークス未満の動粘度（１００℃におけるＫＶ）および約３０，０００センチポアズ以下のＢｒｏｏｋｆｉｅｌｄ粘度（−４０℃におけるＢＶ）を示し、該流体に対する摩擦対速度曲線は、ポリイソアルキレン成分を含まない同様な流体に比べ、高い速度においてより大きな正の傾斜をもっている添加剤濃縮物。
【０１３６】
３９．該ポリイソアルキレンは重量平均分子量が約５００〜約３０００の範囲のポリイソブチレンを含んでなる上記第３８項記載の添加剤濃縮物。
【０１３７】
４０．該ポリイソブチレンは水素化されている上記第３９項記載の添加剤濃縮物。
【０１３８】
４１．該添加剤濃縮物は約２０〜約９０重量％のポリイソアルキレン成分を含んで成る上記第３８項記載の添加剤濃縮物。
【０１３９】
４２．さらに１種またはそれ以上の無灰分散剤、酸化防止剤、耐摩耗性添加剤、摩擦調整剤、泡消し剤、および腐蝕防止剤を含んで成る上記第３８項記載の添加剤濃縮物。
【０１４０】
４３．該無灰分散剤は１種またはそれ以上のヒドロカルビル琥珀酸イミド、ヒドロカルビル琥珀酸アミド、ポリオールエステル、ヒドロカルビル置換琥珀酸の混合エステル／アミド、およびヒドロカルビル置換フェノール、フォルムアルデヒド、およびポリアミンからつくられるマンニッヒ縮合生成物を含んで成る上記第４２項記載の添加剤濃縮物。
【０１４１】
４４．該摩擦調整剤は１種またはそれ以上の脂肪族脂肪酸アミン、エーテルアミン
、アルコキシル化された脂肪族脂肪酸アミン、アルコキシル化されたエーテルアミン、油溶性の脂肪族カルボン酸、ポリオールエステル、脂肪酸アミド、イミダゾリン、３級アミン、およびアンモニアまたは１級アミンと反応させたヒドロカルビル琥珀酸イミドを含んで成る上記第４２項記載の添加剤濃縮物。
【０１４２】
４５．酸化防止剤は１種またはそれ以上のビスアルキル化されたジフェニルアミン、フェニル−αまたはβ−ナフチルアミン、立体障害をもったフェノール、ビスフェノール、、および桂皮酸誘導体を含んで成る上記第４２項記載の添加剤濃縮物。
【０１４３】
４６．耐摩耗性添加剤は１種またはそれ以上の燐酸のエステルおよびその塩、亜燐酸のエステルおよびその塩、ジアルキルジチオ燐酸エステルおよびその塩を含んで成る上記第４２項記載の添加剤濃縮物。
【０１４４】
４７．泡消し剤は１種またはそれ以上のシリコーンおよびポリアクリレートを含んで成る上記第４２項記載の添加剤濃縮物。
【０１４５】
４８．基油および上記第３８項記載の添加剤濃縮物を含んで成り、該添加剤濃縮物は約５〜約５０重量％の量で流体中に存在する自動変速機用流体。
【０１４６】
４９．エンジンと変速機を含んで成る車輛であって、該変速機は上記第４８項記載の自動変速機用流体を含んでいる車輛。
【０１４７】
５０．該自動変速機は炭素繊維を含む摩擦板を含んで成る上記第４９項記載の車輛。
【図面の簡単な説明】
【０１４８】
【図１】種々の粘度指数向上剤を含む動力伝達用流体の摩擦対速度（ｕ−ｖ）曲線。
【図１】
2005194529.tif 000007